(57)【要約】【課題】  略水平方向に調査孔を形成し、磁気センサを用いて、地中の障害物を探査する方法を提供する。【解決手段】  地中障害物探査方法は、後端部にネジ部を備えたクローネンビット８が先端部に取り付けられたケーシング１を用いて、略水平方向に削孔し、ケーシング１内に、削孔方向に対して、先端部にネジ部を備え、周囲に多数のスリット６ａが形成されたマンシェットチューブ６が先端部に接続された塩化ビニル樹脂製パイプ２を挿入して、クローネンビットと８マンシェットチューブ６とを螺合して、接続し、ケーシング１を引き抜き、マンシェットチューブ６内に充填材を注入して、マンシェットチューブ６の複数のスリット６ａを介して、ケーシング１が接していた地山部とマンシェットチューブ６との間に形成された空隙部１０を充填材によって満たし、塩化ビニル樹脂製パイプ２内に磁気センサを挿入して、磁気データを測定するように構成されている。【選択図】      図１
2015219215.tif 000002
【特許請求の範囲】
【請求項１】
後端部にネジ部を備えたクローネンビットが先端部に取り付けられたケーシングを用いて、略水平方向に削孔し、前記ケーシング内に、削孔方向に対して、先端部にネジ部を備え、周囲にスリットが形成された注入部材が先端部に接続されたガイドパイプを挿入して、前記クローネンビットの前記ネジ部と前記注入部材の前記ネジ部とを螺合して、前記クローネンビットと前記注入部材とを接続し、前記ケーシングを引き抜き、前記注入部材内に充填材を注入して、前記注入部材の前記スリットを介して、前記ケーシングが接していた地山部と前記注入部材との間に形成された空隙部を前記充填材によって満たし、前記ガイドパイプ内に磁気センサを挿入して、磁気データを測定することを特徴とする地中障害物探査方法。
【請求項２】
前記注入部材は、前記スリットが形成された有孔パイプと、前記有孔パイプの前記スリットを覆うスリーブゴムと、前記ガイドパイプとの接続継手とから成り、前記充填材を注入する際に前記有孔パイプの前記スリットから前記スリーブゴムを押し上げて、充填材が前記スリットをから吐出するように構成されていることを特徴とする請求項１に記載の地中障害物探査方法。
【請求項３】
前記ガイドパイプが塩化ビニル樹脂製であり、前記注入ホースをガイドパイプ内を通して、前記注入部材内に挿入し、前記注入ホースによって、前記注入部材内に前記充填材を注入するように構成され、前記注入ホースの吐出口付近に、吐出された充填材がガイドパイプへ流入しないようにパッカーを備えたことを特徴とする請求項１または２に記載の地中障害物探査方法。
【請求項４】
前記注入ホースの吐出口付近のパッカーが、前記注入部材に形成された前記スリットに対して前記注入部材の先端側パッカーと後端側パッカーとで閉塞区間を形成させるパッカーであることを特徴とする請求項１ないし３のいずれか１項に記載の地中障害物探査方法。
【請求項５】
前記磁気センサを挿入して磁気データを測定する探査孔であって、
後端部にネジ部を備えたクローネンビットと、
削孔方向に対して、先端部にネジ部を備え、周囲に多数のスリットが形成された注入部材と、
注入部材が先端部に接続されたガイドパイプから構成されて請求項１ないし４のいずれか１項に記載の方法によって構築する地中障害探査孔。
【発明の詳細な説明】
【技術分野】
【０００１】
本発明は地中障害物探査方法に関するものであり、さらに詳細には、略水平方向にケーシング削孔し、磁気を利用して、残置杭などの地中障害物を探査する方法に関するものである。
【背景技術】
【０００２】
磁気を利用して、地中の障害物を探査する場合、従来は、略鉛直下向きに、先端部にクローネンビットを取り付けてケーシング削孔をし、次いで、中空状の内挿管をケーシング内に挿入し、ケーシングを引き抜いて、空隙部に砂などの充填剤を注入し、調査孔を形成し、調査孔内に、磁気センサを挿入して、磁気データを測定して、地中の障害物を探査していた。このように、略鉛直下向きに調査孔を形成する場合には、重力を利用して、空隙部に砂などの充填剤を注入することができ、また、クローネンビットが逆止弁として機能するため、削孔中は、地下水がケーシング内に侵入することを効果的に防止することが可能になるとともに、略鉛直下向きに削孔するため、地下水がクローネンビットに下方から作用し、クローネンビットが外れることもない。
【発明の概要】
【発明が解決しようとする課題】
【０００３】
しかしながら、略鉛直下向きに、ケーシング削孔をし、調査孔を形成して、残置杭などの地中障害物を探査する場合には、数多くの調査孔を形成しないと、地中障害物を探査することができないという問題があった。
【０００４】
かかる問題は、略水平方向に調査孔を形成することによって解決することができるが、従来の地中障害物探査方法においては、重力を利用して、空隙部に砂などの充填剤を注入することができず、空隙によって調査孔が孔曲りする問題があった。また、ケーシングを引き抜く際に、中空状の内挿管の先端部から地中の地下水や土砂が流れ込んで調査孔が閉塞してしまい、所望のように、調査孔を形成することができないという問題があった。
【０００５】
したがって、本発明は、略水平方向に調査孔を形成し、磁気センサを用いて、地中の障害物を探査する方法を提供することを目的とするものである。
【課題を解決するための手段】
【０００６】
本発明のかかる目的は、後端部にネジ部を備えたクローネンビットが先端部に取り付けられたケーシングを用いて、略水平方向に削孔し、前記ケーシング内に、削孔方向に対して、先端部にネジ部を備え、周囲にスリットが形成された注入部材が先端部に接続されたガイドパイプを挿入して、前記クローネンビットの前記ネジ部と前記注入部材の前記ネジ部とを螺合して、前記クローネンビットと前記注入部材とを接続し、前記ケーシングを引き抜き、前記注入部材内に充填材を注入して、前記注入部材の前記スリットを介して、前記ケーシングが接していた地山部と前記注入部材との間に形成された空隙部を前記充填材によって満たし、前記ガイドパイプ内に磁気センサを挿入して、磁気データを測定することを特徴とする地中障害物探査方法によって達成される。
【０００７】
本発明よれば、後端部にネジ部を備えたクローネンビットが先端部に取り付けられたケーシングを用いて、略水平方向に削孔し、形成された調査孔内に位置するガイドパイプ内に磁気センサを挿入して、磁気データを検出して、残置杭などの地中障害物を探査するように構成されているから、残置杭などの地中障害物を探査するために、いくつもの調査孔を掘削する必要がなく、したがって、残置杭などの地中障害物の探査に要するコストや時間を大幅に低減させることが可能になる。
【０００８】
また、本発明によれば、ケーシングの先端部にクローネンビットが取り付けられているから、ケーシング削孔時に、ケーシングの先端部から水や土砂がケーシング内に浸入することを防止することができる。
【０００９】
さらに、本発明によれば、クローネンビットのネジ部と注入部材のネジ部を螺合して、クローネンビットと注入部材とを接続した後に、ケーシングを引き抜くように構成されているから、ケーシングを引き抜く際に、注入部材内に地下水が流れ込むことを確実に防止することが可能になる。
【００１０】
本発明の好ましい実施態様においては、前記注入部材は、前記スリットが形成された有孔パイプと、前記有孔パイプの前記スリットを覆うスリーブゴムと、前記ガイドパイプとの接続継手とから成り、前記充填材を注入する際に前記有孔パイプの前記スリットから前記スリーブゴムを押し上げて、充填材が前記スリットをから吐出するように構成されている。
【００１１】
本発明の好ましい実施態様においては、ガイドパイプが塩化ビニル樹脂製であり、前記注入ホースをガイドパイプ内を通して、前記注入部材内に挿入し、前記注入ホースによって、前記注入部材内に前記充填材を注入するように構成され、前記注入ホースの吐出口付近に、吐出された充填材がガイドパイプへ流入しないようにパッカーを備えている。
【００１２】
本発明の好ましい実施態様によれば、磁気センサが、塩化ビニル樹脂製のガイドパイプ内に配置されるから、地中障害物を探査するための部材の磁気に影響されることなく、磁気センサによって、所望のように、地中の障害物の磁気データを検出することができる。
【００１３】
本発明の好ましい実施態様においては、前記注入ホースの吐出口付近のパッカーが、前記注入部材に形成された前記スリットに対して前記注入部材の先端側パッカーと後端側パッカーとで閉塞区間を形成させる２つのパッカーを備えている。
【発明の効果】
【００１４】
本発明によれば、ケーシングを用いて、略水平方向に削孔し、形成された地中障害物探査装置のガイドパイプ内に磁気センサを挿入して、磁気データを検出して、残置杭などの地中障害物を探査するように構成されているから、残置杭などの地中障害物を探査するために、いくつもの調査孔を掘削する必要がなく、したがって、残置杭などの地中障害物の探査に要するコストや時間を大幅に低減させることが可能になる。
【００１５】
また、本発明によれば、ケーシングの先端部にクローネンビットが取り付けられているから、ケーシング削孔時に、ケーシングの先端部から水や土砂がケーシング内に浸入することを防止することができる。
【００１６】
さらに、本発明によれば、クローネンビットと注入部材とを接続した後に、ケーシングを引き抜くように構成されているから、ケーシングを引き抜く際に、空隙部に地下水が流れ込むことを確実に防止することが可能になる。
【００１７】
また、本発明によれば、ケーシング削孔後、注入部材をクローネンビットに螺合することと、注入部材のスリットを覆うスリーブゴムが有することによって、ケーシングを抜く際に、水や土砂が注入部材内に流入することを防止することできる。
【００１８】
さらに、本発明によれば、充填材が削孔の先端側からケーシング削孔の口元へ向かって充填されるのでガイドパイプの周囲には空隙が生じず地盤と一体となって地中障害物探査装置を配置することができる。
【００１９】
また、本発明によれば、パッカーによってガイドパイプ内に充填材が入らず、探査前の土砂取り除きや洗浄作業を省くことが可能となる。
【００２０】
さらに、本発明において、ガイドパイプとして、塩化ビニル樹脂製のガイドパイプを用いるときは、磁気センサが、塩化ビニル樹脂製パイプ内に配置されるから、地中障害物を探査するための部材の磁気に影響されることなく、磁気センサによって、所望のように、磁気データを検出することができる。
【００２１】
さらに、本発明によれば、略水平方向に削孔し、ケーシング内に、削孔方向に対して、先端部にネジ部を備え、周囲にスリットが形成された注入部材が先端部に接続された塩化ビニル樹脂製のガイドパイプを挿入しており、ガイドパイプが略水平方向に配置できるので、曲がりくねった配置の場合と比べると、検出された磁気センサのデータと図面上の位置関係を精査する補正計算作業がはるかに容易にすることができる。
【図面の簡単な説明】
【００２２】
【図１】図１は、本発明の好ましい実施態様にかかる地中障害物探査方法を実行するために用いられる地中障害物探査装置の略縦断面図である。
【図２】図２は、ケーシング１が引き抜かれた後の地中障害物探査装置の略縦断面図である。
【図３】図３は、注入ホース内に充填材が注入され、接続用のマンシェットチューブに形成された多数のスリットを介して、充填材が空隙部内に注入されている状態にある地中障害物探査装置の縦断面図である。
【発明を実施するための形態】
【００２３】
図１は、本発明の好ましい実施態様にかかる地中障害物探査方法を実行するために用いられる地中障害物探査装置の略縦断面図である。
【００２４】
図１に示されるように、本実施態様にかかる地中障害物探査装置は、ケーシング１と、ケーシング１で削孔された後に、ケーシング１中に挿入された塩化ビニル樹脂製のガイドパイプ２とを備えている。ガイドパイプ２の先端部には、接続継手３を介して、注入部材４が接続されている。
【００２５】
注入部材４にはスリット６ａが形成されている。
【００２６】
注入部材４は、スリット６ａが形成された有孔パイプ４ａと、スリット６ａを覆うスリーブゴム６ｂと、ガイドパイプ２と接続する接続継手３とで形成されている。
【００２７】
注入部材４の先端部に形成されたネジ部（図示せず）は、地盤をケーシング１で削孔するためのクローネンビット８の後端部に形成されたネジ部（図示せず）と螺合されている。このように地中探査装置は、削孔方向先端側からクローネンビット８、注入部材４、接続継手５、ガイドパイプ２から形成されている。
【００２８】
地中障害物探査装置を地盤内に設けるにあたっては、まず、ケーシング１の先端部にドライブシュー７が螺合され、ドライブシュー７の係止部７ａにクローネンビット８が嵌合されたケーシング１によって、地盤内に地中障害物探査装置が略水平方向になるように、ケーシング削孔される。
【００２９】
所定位置まで、地盤が削孔された後、クローネンビット８の後端部に形成されたネジ部（図示せず）と、注入部材４の先端部に形成されたネジ部（図示せず）とが螺合される。
【００３０】
ここに、あらかじめ、注入部材４の後端部に、接続継手３を介して、ガイドパイプ２の先端部が接続されている。
【００３１】
こうして、図１に示された地中障害物探査装置が地盤内で略水平方向に組み立てられる。
【００３２】
次いで、ケーシング１とドライブシュー７との螺合が解除され、ケーシング１が引き抜かれる。
【００３３】
図２は、ケーシング１が引き抜かれた後の地中障害物探査装置の略縦断面図である。
【００３４】
図２に示されるように、ケーシング１が引き抜かれた結果、クローネンビット８、ドライブシュー７、注入部材４、接続継手３およびガイドパイプ２と地盤との間には空隙部１０が形成される。
【００３５】
次いで、ガイドパイプ２、接続継手３を通って、注入部材４内に、空隙部１０の充填材を注入するための注入ホース１１が挿入される。
【００３６】
注入ホース１１が挿入され、所定の位置に達すると、注入ホース１１内に、セメントベントナイトなどの充填材が注入され、注入部材４に形成されたスリット６ａを介して、スリーブゴム６ｂを押し上げて、空隙部１０内に注入される。注入ホース１１の吐出口１１ａ付近には、吐出された充填材がガイドパイプ２へ流入しないようにパッカー１２を備えている。
【００３７】
図３は、注入ホース１１内に充填材が注入され、注入部材４に形成されたスリット６ａを介して、空隙部１０内に注入されている状態にある地中障害物探査装置の縦断面図である。
【００３８】
注入ホース１１の吐出孔１１ｂ付近には、吐出孔１１ｂとその孔１１ｂを挟んだ位置にパッカー１２が備えられている。すなわち、注入ホースの吐出口付近のパッカー１２は、注入部材に形成されたスリット６ａに対して、注入部材の先端側に位置するパッカー１２ａと後端側に位置するパッカー１２ｂの２つによって閉塞区間を形成させるダブルパッカーである。したがって、充填材はスリット６ａから吐出されるのでガイドパイプ２内には充填材が入り込まないようになる。
【００３９】
こうして、空隙部１０内がセメントベントナイトなどの充填材によって満たされると、ガイドパイプ２は地盤内に略水平方向に空隙なく埋設されることになる。
【００４０】
磁気探査においては、ガイドパイプ２内に、磁気センサが挿入されて、磁気データが検出される。
【００４１】
本実施態様によれば、略水平方向に、ケーシング削孔をし、形成された地中障害物探査装置のガイドパイプ２内に磁気センサ（図示せず）が挿入されているから、残置杭などの地中障害物を探査するために、いくつもの調査孔を略鉛直下向きに掘削する必要がなく、したがって、残置杭などの地中障害物の探査に要するコストや時間を大幅に低減させることが可能になる。
【００４２】
また、本実施態様によれば、ケーシング１の先端部には、ドライブシュー７が螺合され、注入部材４の先端部に形成されたネジ部と、地盤を削孔するためのクローネンビット８の後端部が形成されたネジ部とが螺合できるよう設けられ、クローネンビット８がドライブシュー７の係止部７ａに嵌合されているから、ケーシング削孔の際に、ケーシング１の先端部から、水や土砂がケーシング１内に流入することを効果的に防止することができる。したがって、ガイドパイプ２を備えた地中障害物探査装置を地中の所望の位置に配置することが可能になる。
【００４３】
さらに、本実施態様によれば、充填材が削孔の先端側からケーシング削孔の口元へ向かって充填されるので、ガイドパイプ２の周囲には空隙が生じず、地盤と一体となって地中障害物探査装置を配置することができる。
【００４４】
また、本実施態様によれば、パッカーによってガイドパイプ内に充填材が入らず、探査前の土砂取り除きや洗浄作業を省くことが可能となる。
【００４５】
さらに、本実施態様によれば、磁気センサが、塩化ビニル樹脂製のガイドパイプ２内に配置されるから、地中障害物探査装置の部材の磁気に影響されることなく、磁気センサによって、所望のように、磁気データを検出することができる。
【００４６】
また、本実施態様によれば、塩化ビニル樹脂製のガイドパイプ２を略水平方向に配置することができるので、曲がりくねった配置の場合と比べると、検出された磁気センサのデータと図面上の位置関係を精査する補正計算作業がはるかに容易になる。
【００４７】
本発明は、以上の実施態様に限定されることなく、特許請求の範囲に記載された発明の範囲内で種々の変更が可能であり、それらも本発明の範囲内に包含されるものであることはいうまでもない。
【００４８】
たとえば、前記実施態様においては、ガイドパイプ２としては、塩化ビニル樹脂によって形成されたものを用いているが、ガイドパイプ２を塩化ビニル樹脂によって形成することは必ずしも必要でなく、非磁性の材料によってガイドパイプ２を形成すればよく、塩化ビニル樹脂に代えて、ポリプロピレン樹脂やポリエチレン樹脂によって、ガイドパイプ２を形成することもできる。
【符号の説明】
【００４９】
１  ケーシング
２  塩化ビニル樹脂製のガイドパイプ
３  接続継手
４  注入部材
６ａ  スリット
６ｂ  スリット
７  ドライブシュー
７ａ  ドライブシューの係止部
８  クローネンビット
１０  空隙部
１１  注入ホース
１１ａ  注入ホース吐出口
１１ｂ  注入ホース吐出口
１２  パッカー
１２ａ  先端側パッカー
１２ｂ  後端側パッカー
【図１】
2015219215.tif 000003
【図２】
2015219215.tif 000004
【図３】
2015219215.tif 000005